(57)【特許請求の範囲】
【請求項１】
スマートメータを用いた負荷設備の切断・投入制御により安定な電力供給を行うための電力供給システムであって、
複数個のスマートメータ（２1〜２3）と、
該複数個のスマートメータと通信回線（３）を介して接続された遠隔切断・投入システム（１０）とを具備し、
前記複数個のスマートメータの各スマートメータに、電圧降下が生じても投入され続けるＡ負荷設備（１Ａ1〜１Ａ3）および電圧降下が生じると切断されるＢ負荷設備（１Ｂ1〜１Ｂ3）が接続されており、
前記各スマートメータが、
使用電力量を算出する際に計測した電圧値を示す電圧情報と前記Ａ負荷設備および前記Ｂ負荷設備が投入されているか切断されているかを示す投入／切断情報とを前記通信回線を介して前記遠隔切断・投入システムに送信する機能と、
前記遠隔切断・投入システムから前記通信回線を介して送信されてくる切断指令信号および投入指令信号に応じて前記Ｂ負荷設備を切断および再投入する機能とを備え、
前記遠隔切断・投入システムが、
前記各スマートメータに接続された前記Ａ負荷設備の課金単価と該各スマートメータに接続された前記Ｂ負荷設備の課金単価および月単位の停電時間とが格納されたメモリ（１７）と、
前記各スマートメータから前記通信回線を介して受信した前記電圧情報に基づいて電圧降下を監視し、所定の第１の電圧値以上の電圧降下が所定の第１の時間以上継続すると、前記各スマートメータに接続された前記Ｂ負荷設備の課金単価を前記メモリから読み出して、該各スマートメータに接続された前記Ｂ負荷設備のうち投入されているＢ負荷設備を電圧降下が前記第１の電圧値未満になるまで該読み出した課金単価が低い順に切断していく切断手段と、
前記第１の電圧値以上の電圧降下の解消後所定の第２の時間以上電圧降下が該第１の電圧値よりも小さい所定の第２の電圧値未満であると、前記切断していったＢ負荷設備を電圧降下が前記第２の電圧値以上にならない限り前記読み出した課金単価が高い順に再投入していく再投入手段と、
前記切断したＢ負荷設備の前月停電時間と前記複数個のスマートメータのうち該切断したＢ負荷設備が接続されたスマートメータに接続された前記Ａ負荷設備である対応Ａ負荷設備の課金単価とを前記メモリから読み出し、該切断したＢ負荷設備の新しい課金単価を次式によって算出する算出手段とを備え、
ＰB＝ａ×ＰA−ｂ×Ｔ
ここで、ＰAは、前記メモリから読み出され前記対応Ａ負荷設備の課金単価
ＰBは、前記切断したＢ負荷設備の新しい課金単価
Ｔは、前記メモリから読み出された前記切断したＢ負荷設備の前月停電時間
ａは、“１”未満の係数
ｂは、“１”よりも大きい比例係数
ＰA，ＰBの単位は、円
Ｔの単位は、時間
前記切断したＢ負荷設備の新しい課金単価ＰBが、前記対応Ａ負荷設備の課金単価ＰAよりも安くされるとともに、前月停電時間１時間当り１円よりも安くかつ該切断したＢ負荷設備の前月停電時間Ｔに比例して安くされるが、該切断したＢ負荷設備の新しい課金単価ＰBの最低金額が所定の金額にされている、
ことを特徴とする、電力供給システム。
【請求項２】
前記遠隔切断・投入システムが、
前記通信回線を介して前記各スマートメータとの間で前記電圧情報、前記投入／切断情報、前記切断指令信号および前記投入指令信号を送受信するための送受信装置（１１）と、
前記各スマートメータから前記通信回線および前記送受信装置を介して入力される前記電圧情報に基づいて電圧降下を監視し、前記第１の電圧値以上の電圧降下が前記第１の時間以上継続すると電圧降下発生信号を出力するとともに、前記第１の電圧値以上の電圧降下の解消後前記第２の時間以上電圧降下が前記第２の電圧値未満であると電圧降下解消信号を出力する電圧降下監視装置（１２）と、
前記各スマートメータから前記通信回線および前記送受信装置を介して入力される前記投入／切断情報に基づいて該各スマートメータに接続された前記Ｂ負荷設備が投入されているか切断されているかを監視し、その監視結果であるＢ負荷設備状態信号を出力する負荷設備監視装置（１３）と、
前記電圧降下監視装置から前記電圧降下発生信号が入力されると、前記負荷設備監視装置から入力される前記Ｂ負荷設備状態信号に基づいて前記各スマートメータに接続された前記Ｂ負荷設備のうち投入されているＢ負荷設備を確認したのち、前記切断指令信号を前記送受信装置および前記通信回線を介して前記各スマートメータに出力して、前記投入されているＢ負荷設備を電圧降下が前記第１の電圧値未満になるまで課金単価が低い順に切断していくとともに、前記第１の電圧値以上の電圧降下の解消後前記第２の時間以上電圧降下が前記第２の電圧値未満であると、前記負荷設備監視装置から入力される前記Ｂ負荷設備状態信号に基づいて前記切断したＢ負荷設備が切断されたままかを確認したのち、前記投入指令信号を前記送受信装置および前記通信回線を介して前記各スマートメータに出力して、前記切断されたままのＢ負荷設備を電圧降下が前記第２の電圧値以上にならない限り課金単価が高い順に再投入していく切断・投入制御装置（１４）と、
前記切断・投入制御装置から入力される前記切断指令信号および前記投入指令信号と前記負荷設備監視装置から入力される前記Ｂ負荷設備状態信号とに基づいて、前記切断したＢ負荷設備の停電時間を計測し、前記メモリから読み出した該切断したＢ負荷設備の今月の停電時間に該計測した停電時間を足して該Ｂ負荷設備の今月の停電時間を更新して該メモリに格納する停電時間算出装置（１５）と、
前記切断したＢ負荷設備の前月停電時間と前記対応Ａ負荷設備の課金単価とを前記メモリから読み出して、前記式であるＰB＝ａ×ＰA−ｂ×Ｔを用いて前記切断したＢ負荷設備の新しい課金単価ＰBを算出する単価算出装置（１６）と、
を備えることを特徴とする、請求項１記載の電力供給システム。
【発明の詳細な説明】
【技術分野】
【０００１】
本発明は、電力供給システムに関し、特に、スマートメータを用いた負荷設備の切断・投入制御により安定な電力供給を行うのに好適な電力供給システムに関する。
【背景技術】
【０００２】
電力の需要は、気候などに大きく影響を受けるため、想定が難しい。一方、需要電力が供給電力を上回る事態が想定される場合には、電力会社は、他の電力会社からの電力融通などにより停電の危機を逃れたり、夏季にテレビコマーシャルなどで節電の呼び掛けを行ったりしている。
【０００３】
また、下記の特許文献１には、空調機のデマンド制御を行うために、単位時間当たりの電力使用量が予め設定された規定電力値を超えた場合はデマンド信号を発し、規定電力値を下回り一定時間経過すればデマンド信号を解除することにより、デマンド信号が発せられた場合には、デマンド信号が解除されるまで一定時間間隔で複数個の空調機を予め設定された順番で１台ずつ順次停止させ、デマンド信号が解除された場合には、最後に停止させた空調機から逆の順番で停止を解除することが記載されている。
【０００４】
なお、下記の特許文献２には、電気機器をコンセントに接続したままの状態であってもその消費電力を抑制するために、コンセントおよび電気機器と接続された際、コンセントから電気機器に電源供給を行う電力使用量送信装置と、電力使用量送信装置と通信可能な電力使用量管理装置とを有し、電力使用量送信装置が、電気機器の消費電力を測定して電力使用量管理装置に電気機器の消費電力データを送信し、電力使用量管理装置から電力供給停止データを受信したことに応じて電気機器の電力供給を停止し、電力使用量管理装置が、消費電力データに基づいて電力供給停止データを生成して、電力停止データを電力使用量送信装置に送る電力使用量管理システムが開示されている。
【先行技術文献】
【特許文献】
【０００５】
【特許文献１】特開平１−１１４６５５号公報
【特許文献２】特開２０１０−１１４９６７号公報
【発明の概要】
【発明が解決しようとする課題】
【０００６】
しかしながら、他の電力会社からの電力融通では、重要設備の停電リスクを必ずしも回避することができないという問題のほか、電力融通にかかるコストが増大するという問題があった。
また、上記の特許文献１に記載されている方法では、重要度が同じ複数個の空調機を予め設定された順番で１台ずつ順次停止させるため、重要度が異なる種々の負荷設備を顧客が満足する順番で停止させることはできないという問題がある。
【０００７】
本発明の目的は、重要設備の停電リスクの回避、電力融通にかかるコストの削減および顧客の満足度の向上が図れる電力供給システムを提供することにある。
【課題を解決するための手段】
【０００８】
本発明の電力供給システムは、スマートメータを用いた負荷設備の切断・投入制御により安定な電力供給を行うための電力供給システムであって、複数個のスマートメータ（２1〜２3）と、該複数個のスマートメータと通信回線（３）を介して接続された遠隔切断・投入システム（１０）とを具備し、前記複数個のスマートメータの各スマートメータに、電圧降下が生じても投入され続けるＡ負荷設備（１Ａ1〜１Ａ3）および電圧降下が生じると切断されるＢ負荷設備（１Ｂ1〜１Ｂ3）が接続されており、前記各スマートメータが、使用電力量を算出する際に計測した電圧値を示す電圧情報と前記Ａ負荷設備および前記Ｂ負荷設備が投入されているか切断されているかを示す投入／切断情報とを前記通信回線を介して前記遠隔切断・投入システムに送信する機能と、前記遠隔切断・投入システムから前記通信回線を介して送信されてくる切断指令信号および投入指令信号に応じて前記Ｂ負荷設備を切断および再投入する機能とを備え、前記遠隔切断・投入システムが、前記各スマートメータに接続された前記Ａ負荷設備の課金単価と該各スマートメータに接続された前記Ｂ負荷設備の課金単価および月単位の停電時間とが格納されたメモリ（１７）と、前記各スマートメータから前記通信回線を介して受信した前記電圧情報に基づいて電圧降下を監視し、所定の第１の電圧値以上の電圧降下が所定の第１の時間以上継続すると、前記各スマートメータに接続された前記Ｂ負荷設備の課金単価を前記メモリから読み出して、該各スマートメータに接続された前記Ｂ負荷設備のうち投入されているＢ負荷設備を電圧降下が前記第１の電圧値未満になるまで該読み出した課金単価が低い順に切断していく切断手段と、前記第１の電圧値以上の電圧降下の解消後所定の第２の時間以上電圧降下が該第１の電圧値よりも小さい所定の第２の電圧値未満であると、前記切断していったＢ負荷設備を電圧降下が前記第２の電圧値以上にならない限り前記読み出した課金単価が高い順に再投入していく再投入手段と、前記切断したＢ負荷設備の前月停電時間と前記複数個のスマートメータのうち該切断したＢ負荷設備が接続されたスマートメータに接続された前記Ａ負荷設備である対応Ａ負荷設備の課金単価とを前記メモリから読み出し、該切断したＢ負荷設備の新しい課金単価を次式によって算出する算出手段とを備え、
ＰB＝ａ×ＰA−ｂ×Ｔ
ここで、ＰAは、前記メモリから読み出され前記対応Ａ負荷設備の課金単価
ＰBは、前記切断したＢ負荷設備の新しい課金単価
Ｔは、前記メモリから読み出された前記切断したＢ負荷設備の前月停電時間
ａは、“１”未満の係数
ｂは、“１”よりも大きい比例係数
ＰA，ＰBの単位は、円
Ｔの単位は、時間
前記切断したＢ負荷設備の新しい課金単価ＰBが、前記対応Ａ負荷設備の課金単価ＰAよりも安くされるとともに、前月停電時間１時間当り１円よりも安くかつ該切断したＢ負荷設備の前月停電時間Ｔに比例して安くされるが、該切断したＢ負荷設備の新しい課金単価ＰBの最低金額が所定の金額にされていることを特徴とする。
ここで、前記遠隔切断・投入システムが、前記通信回線を介して前記各スマートメータとの間で前記電圧情報、前記投入／切断情報、前記切断指令信号および前記投入指令信号を送受信するための送受信装置（１１）と、前記各スマートメータから前記通信回線および前記送受信装置を介して入力される前記電圧情報に基づいて電圧降下を監視し、前記第１の電圧値以上の電圧降下が前記第１の時間以上継続すると電圧降下発生信号を出力するとともに、前記第１の電圧値以上の電圧降下の解消後前記第２の時間以上電圧降下が前記第２の電圧値未満であると電圧降下解消信号を出力する電圧降下監視装置（１２）と、前記各スマートメータから前記通信回線および前記送受信装置を介して入力される前記投入／切断情報に基づいて該各スマートメータに接続された前記Ｂ負荷設備が投入されているか切断されているかを監視し、その監視結果であるＢ負荷設備状態信号を出力する負荷設備監視装置（１３）と、前記電圧降下監視装置から前記電圧降下発生信号が入力されると、前記負荷設備監視装置から入力される前記Ｂ負荷設備状態信号に基づいて前記各スマートメータに接続された前記Ｂ負荷設備のうち投入されているＢ負荷設備を確認したのち、前記切断指令信号を前記送受信装置および前記通信回線を介して前記各スマートメータに出力して、前記投入されているＢ負荷設備を電圧降下が前記第１の電圧値未満になるまで課金単価が低い順に切断していくとともに、前記第１の電圧値以上の電圧降下の解消後前記第２の時間以上電圧降下が前記第２の電圧値未満であると、前記負荷設備監視装置から入力される前記Ｂ負荷設備状態信号に基づいて前記切断したＢ負荷設備が切断されたままかを確認したのち、前記投入指令信号を前記送受信装置および前記通信回線を介して前記各スマートメータに出力して、前記切断されたままのＢ負荷設備を電圧降下が前記第２の電圧値以上にならない限り課金単価が高い順に再投入していく切断・投入制御装置（１４）と、前記切断・投入制御装置から入力される前記切断指令信号および前記投入指令信号と前記負荷設備監視装置から入力される前記Ｂ負荷設備状態信号とに基づいて、前記切断したＢ負荷設備の停電時間を計測し、前記メモリから読み出した該切断したＢ負荷設備の今月の停電時間に該計測した停電時間を足して該Ｂ負荷設備の今月の停電時間を更新して該メモリに格納する停電時間算出装置（１５）と、前記切断したＢ負荷設備の前月停電時間と前記対応Ａ負荷設備の課金単価とを前記メモリから読み出して、前記式であるＰB＝ａ×ＰA−ｂ×Ｔを用いて前記切断したＢ負荷設備の新しい課金単価ＰBを算出する単価算出装置（１６）とを備えてもよい。
【発明の効果】
【０００９】
本発明の電力供給システムは、以下の効果を奏する。
（１）所定の電圧値以上の電圧降下が所定の第１の時間以上継続すると、複数個のスマートメータに接続された少なくとも１個ずつのＢ負荷設備のうち投入されているＢ負荷設備を電圧降下が所定の電圧値未満になるまで課金単価が低い順に切断していくことにより、重要設備の停電リスクの回避、電力融通にかかるコストの削減および顧客の満足度の向上を図ることができる。
（２）電圧降下により負荷設備が切断されるという意識を顧客に持たせることができるため、顧客の節電意識の向上を図ることができる。
【図面の簡単な説明】
【００１０】
【図１】本発明の一実施例による電力供給システムの構成を説明するための図である。
【図２】図１に示した遠隔切断・投入システム１０の構成を示すブロック図である。
【図３】図１に示した遠隔切断・投入システム１０の動作を説明するためのフローチャートである。
【発明を実施するための形態】
【００１１】
上記の目的を、１Ｖ以上の電圧降下が３０秒以上継続すると、複数個のスマートメータに接続された少なくとも１個ずつのＢ負荷設備のうち投入されているＢ負荷設備を電圧降下が１Ｖ未満になるまで単価が低い順に遠隔切断・投入システムによって切断していくことにより実現した。
【実施例１】
【００１２】
以下、本発明の電力供給システムの実施例について図面を参照して説明する。
本発明の一実施例による電力供給システムは、図１に示すように、第１乃至第３の需給契約者宅にそれぞれ設置された第１乃至第３のスマートメータ２1〜２3と、第１乃至第３のスマートメータ２1〜２3と通信回線３を介して相互接続された遠隔切断・投入システム１０とを具備する。
なお、以下の説明では、後述する第１乃至第３のＡ負荷設備１Ａ1〜１Ａ3および第１乃至第３のＢ負荷設備１Ｂ1〜１Ｂ3の課金単価を「単価」と称する。
【００１３】
ここで、第１のスマートメータ２1は、第１の需給契約者宅に設置されたかつ電圧降下が生じても投入（電力供給）され続ける負荷設備である第１のＡ負荷設備１Ａ1と、第１の需給契約者宅に設置されたかつ１Ｖ以上の電圧降下が３０秒以上継続した場合に遠隔切断・投入システム１０によって切断（電力供給停止）されるとともに１Ｖ以上の電圧降下の解消が１時間以上継続した場合に遠隔切断・投入システム１０によって再投入（電力供給再開）される第１のＢ負荷設備１Ｂ1とに接続されている。
また、第１のスマートメータ２1は、使用電力量を算出する際に計測した電圧値を示す電圧情報と第１のＡ負荷設備１Ａ1および第１のＢ負荷設備１Ｂ1が投入されているか切断されているかを示す投入／切断情報とを通信回線３を介して遠隔切断・投入システム１０に送信する機能と、遠隔切断・投入システム１０から通信回線３を介して送信されてくる切断指令信号および投入指令信号に応じて第１のＢ負荷設備１Ｂ1を切断および再投入する機能とを備える。
【００１４】
第２のスマートメータ２2は、第２の需給契約者宅に設置されたかつ電圧降下が生じても投入され続ける負荷設備である第２のＡ負荷設備１Ａ2と、第２の需給契約者宅に設置されたかつ１Ｖ以上の電圧降下が３０秒以上継続した場合に遠隔切断・投入システム１０によって切断されるとともに１Ｖ以上の電圧降下の解消が１時間以上継続した場合に遠隔切断・投入システム１０によって再投入される負荷設備である第２のＢ負荷設備１Ｂ2とに接続されている。
また、第２のスマートメータ２2は、電力量を算出する際に計測した電圧値を示す電圧情報と第２のＡ負荷設備１Ａ2および第２のＢ負荷設備１Ｂ2が投入されているか切断されているかを示す投入／切断情報とを通信回線３を介して遠隔切断・投入システム１０に送信する機能と、遠隔切断・投入システム１０から通信回線３を介して送信されてくる切断指令信号および投入指令信号に応じて第２のＢ負荷設備１Ｂ2を切断および再投入する機能とを備える。
【００１５】
第３のスマートメータ２3は、第３の需給契約者宅に設置されたかつ電圧降下が生じても投入され続ける負荷設備である第３のＡ負荷設備１Ａ3と、第３の需給契約者宅に設置されたかつ１Ｖ以上の電圧降下が３０秒以上継続した場合に遠隔切断・投入システム１０によって切断されるとともに１Ｖ以上の電圧降下の解消が１時間以上継続した場合に遠隔切断・投入システム１０によって再投入される第３のＢ負荷設備１Ｂ3とに接続されている。
また、第３のスマートメータ２3は、電力量を算出する際に計測した電圧値を示す電圧情報と第３のＡ負荷設備１Ａ3および第３のＢ負荷設備１Ｂ3が投入されているか切断されているかを示す投入／切断情報とを通信回線３を介して遠隔切断・投入システム１０に送信する機能と、遠隔切断・投入システム１０から通信回線３を介して送信されてくる切断指令信号および投入指令信号に応じて第３のＢ負荷設備１Ｂ3を切断および再投入する機能とを備える。
【００１６】
なお、第１乃至第３のＢ負荷設備１Ｂ1〜１Ｂ3は、数時間使用できなくても日常生活に支障をきたさない負荷設備であり、たとえば、屋内の一部の照明器具、屋内の一部のエアコン、空気清浄機、テレビ受信機、オーディオ製品などである。
【００１７】
遠隔切断・投入システム１０は、１Ｖ以上の電圧降下が３０秒以上継続すると、「需要電力が供給電力を上回る危険がある」と判断して、投入されている第１乃至第３のＢ負荷設備１Ｂ1〜１Ｂ3を電圧降下が１Ｖ未満になるまで単価が低い順に切断していくとともに、１Ｖ以上の電圧降下の解消後１時間以上電圧降下が０．１Ｖ未満であると、「需要電力が供給電力を上回る危険がなくなった」と判断して、遠隔切断・投入システム１０によって切断された第１乃至第３のＢ負荷設備１Ｂ1〜１Ｂ3を電圧降下が１Ｖ以上にならない限り単価が高い順に再投入していくためのものである。
【００１８】
第１乃至第３のＢ負荷設備１Ｂ1〜１Ｂ3の単価（以下、「第１乃至第３のＢ単価ＰB1〜ＰB3」と称する。）は、第１乃至第３のＡ負荷設備１Ａ1〜１Ａ3の単価（以下、「第１乃至第３のＡ単価ＰA1〜ＰA3」と称する。）と第１乃至第３のＢ負荷設備１Ｂ1〜１Ｂ3の前月停電時間（切断された累計時間。以下、「第１乃至第３の前月停電時間Ｔ1〜Ｔ3」と称する。）とに基づいて決定される。
たとえば、第１のＢ負荷設備１Ｂ1の単価である第１のＢ単価ＰB1は、第１のＡ負荷設備１Ａ1の単価よりも安くなるとともに、前月停電時間１時間当り１円よりも安くなりかつ前月停電時間に比例して安くなるようにするために、第１のＡ負荷設備１Ａ1の単価である第１のＡ単価ＰA1に“１”未満の係数ａ（ａ＜１）を掛けた値から、第１のＢ負荷設備１Ｂ1の前月停電時間である第１の前月停電時間Ｔ1に“１”よりも大きい比例係数ｂ（ｂ＞１）を掛けた値を引くことにより算出される。
すなわち、第１のＢ単価ＰB1を第１のＡ単価ＰA1の半分とするために係数ａ＝０．５および前月停電時間１時間当り２円ほど安くしかつ前月停電時間に比例して安くするために比例係数ｂ＝２とすると、第１のＢ単価ＰB1は、第１のＡ単価ＰA1が１００円であり、第１の前月停電時間Ｔ1が５時間であった場合には、次式に示すように、４０円とされる。
ＰB1＝０．５×ＰA1−２×Ｔ1
＝０．５×１００（円）−２×５（時間）
＝４０（円）
ただし、最低限度の課金をするために、第１乃至第３のＢ単価ＰB1〜ＰB3は、たとえば最低３０円とされている。
【００１９】
遠隔切断・投入システム１０は、図２に示すように、送受信装置１１と、電圧降下監視装置１２と、負荷設備監視装置１３と、切断・投入制御装置１４と、停電時間算出装置１５と、単価算出装置１６と、メモリ１７とを備える。
【００２０】
ここで、送受信装置１１は、通信回線３を介して第１乃至第３のスマートメータ２1〜２3との間で各種情報（電圧情報および投入／切断情報など）や各種信号（切断指令信号および投入指令信号など）を送受信するためのものである。
【００２１】
電圧降下監視装置１２は、第１乃至第３のスマートメータ２1〜２3から通信回線３および送受信装置１１を介して入力される電圧情報に基づいて電圧降下を監視し、１Ｖ以上の電圧降下が３０秒以上継続すると電圧降下発生信号を切断・投入制御装置１４に出力するとともに、１Ｖ以上の電圧降下の解消後１時間以上電圧降下が０．１Ｖ未満であると電圧降下解消信号を切断・投入制御装置１４に出力する。
【００２２】
負荷設備監視装置１３は、第１乃至第３のスマートメータ２1〜２3から通信回線３および送受信装置１１を介して入力される投入／切断情報に基づいて第１乃至第３のＢ負荷設備１Ｂ1〜１Ｂ3が投入されているか切断されているかを監視し、その監視結果であるＢ負荷設備状態信号を切断・投入制御装置１４および停電時間算出装置１５に出力する。
【００２３】
切断・投入制御装置１４は、電圧降下監視装置１２から電圧降下発生信号が入力されると、負荷設備監視装置１３から入力されるＢ負荷設備状態信号に基づいて第１乃至第３のＢ負荷設備１Ｂ1〜１Ｂ3のうち投入されているＢ負荷設備を確認したのち、第１乃至第３のＢ負荷設備１Ｂ1〜１Ｂ3のうち投入されているＢ負荷設備の単価データをメモリ１７から読み出して、読み出した単価データに基づいて単価が最も低いＢ負荷設備を調べ、このＢ負荷設備を切断するように指令する切断指令信号を生成して、生成した切断指令信号を停電時間算出装置１５に出力するとともに送受信装置１１および通信回線３を介して第１乃至第３のスマートメータ２1〜２3に送信する。
このＢ負荷設備を切断しても電圧降下が１Ｖ以上であると、切断・投入制御装置１４は、単価が次に低いＢ負荷設備を調べ、このＢ負荷設備を切断するように指令する切断指令信号を生成して、生成した切断指令信号を停電時間算出装置１５に出力するとともに送受信装置１１および通信回線３を介して第１乃至第３のスマートメータ２1〜２3に送信する。
以下、切断・投入制御装置１４は、同様の動作を繰り返す。
【００２４】
また、切断・投入制御装置１４は、電圧降下監視装置１２から電圧降下解消信号が入力されると、負荷設備監視装置１３から入力されるＢ負荷設備状態信号に基づいて第１乃至第３のＢ負荷設備１Ｂ1〜１Ｂ3のうち電圧降下により切断していったＢ負荷設備を確認したのち、第１乃至第３のＢ負荷設備１Ｂ1〜１Ｂ3のうち電圧降下により切断したＢ負荷設備の単価データをメモリ１７から読み出して、読み出した単価データに基づいて単価が最も高いＢ負荷設備を調べ、このＢ負荷設備を再投入するように指令する投入指令信号を生成して、生成した投入指令信号を停電時間算出装置１５に出力するとともに送受信装置１１および通信回線３を介して第１乃至第３のスマートメータ２1〜２3に送信する。
このＢ負荷設備を再投入しても電圧降下が０．１Ｖ未満であると、切断・投入制御装置１４は、単価が次に高いＢ負荷設備を調べ、このＢ負荷設備を再投入するように指令する投入指令信号を生成して、生成した投入指令信号を停電時間算出装置１５に出力するとともに送受信装置１１および通信回線３を介して第１乃至第３のスマートメータ２1〜２3に送信する。
以下、切断・投入制御装置１４は、同様の動作を繰り返す。
【００２５】
停電時間算出装置１５は、切断・投入制御装置１４から入力される切断指令信号および投入指令信号と負荷設備監視装置１３から入力されるＢ負荷設備状態信号とに基づいて、電圧降下により切断された第１乃至第３のＢ負荷設備１Ｂ1〜１Ｂ3の停電時間を月単位で算出し、算出した第１乃至第３のＢ負荷設備１Ｂ1〜１Ｂ3の月単位の停電時間をメモリ１７に格納する。
これにより、メモリ１７には第１乃至第３のＢ負荷設備１Ｂ1〜１Ｂ3の停電時間が月単位で格納されるため、切断・投入制御装置１４および単価算出装置１６は、第１乃至第３の前月停電時間Ｔ1〜Ｔ3をメモリ１７から読み出すことができる。
【００２６】
単価算出装置１６は、月初めに第１乃至第３のＡ単価ＰA1〜ＰA3および第１乃至第３の前月停電時間Ｔ1〜Ｔ3をメモリ１７から読み出して、読み出した第１乃至第３のＡ単価ＰA1〜ＰA3および第１乃至第３の前月停電時間Ｔ1〜Ｔ3に基づいて第１乃至第３のＢ単価ＰB1〜ＰB3を算出し、算出した第１乃至第３のＢ単価ＰB1〜ＰB3をメモリ１７に格納する。
これにより、切断・投入制御装置１４は、今月の第１乃至第３のＢ単価ＰB1〜ＰB3をメモリ１７から読み出すことができる。
【００２７】
次に、遠隔切断・投入システム１０の動作について、図３に示すフローチャートを参照して説明する。
なお、以下の説明では、第１乃至第３のＡ負荷設備１Ａ1〜１Ａ3および第１乃至第３のＢ負荷設備１Ｂ1〜１Ｂ3はすべて投入されており、第１乃至第３のＢ単価ＰB1〜ＰB3はこの順で高くなっているとする。
【００２８】
電圧降下監視装置１２は、第１乃至第３のスマートメータ２1〜２3から通信回線３および送受信装置１１を介して入力される電圧情報に基づいて、１Ｖ以上の電圧降下が発生していないかを監視し、１Ｖ以上の電圧降下が発生して３０秒以上継続すると、電圧降下発生信号を切断・投入制御装置１４に出力する（ステップＳ１１〜Ｓ１３）。
一方、１Ｖ以上の電圧降下が発生したが３０秒未満に解消すると、電圧降下監視装置１２は、第１乃至第３のスマートメータ２1〜２3から通信回線３および送受信装置１１を介して入力される電圧情報に基づいて、１Ｖ以上の電圧降下が発生していないかを再び監視する（ステップＳ１３）
【００２９】
切断・投入制御装置１４は、電圧降下監視装置１２から電圧降下発生信号が入力されると、負荷設備監視装置１３から入力されるＢ負荷設備状態信号に基づいて、第１乃至第３のＢ負荷設備１Ｂ1〜１Ｂ3が投入されているか切断されているかを調べる。
第１乃至第３のＢ負荷設備１Ｂ1〜１Ｂ3のすべてが投入されていることを確認すると、切断・投入制御装置１４は、第１乃至第３のＢ負荷設備１Ｂ1〜１Ｂ3の単価データ（第１乃至第３のＢ単価ＰB1〜ＰB3）をメモリ１７から読み出して、読み出した単価データに基づいて第１乃至第３のＢ負荷設備１Ｂ1〜１Ｂ3の単価のどれが最も低いかを調べる。
その結果、第１のＢ負荷設備１Ｂ1の単価（第１のＢ単価ＰB1）が最も低いことを確認すると、切断・投入制御装置１４は、第１のＢ負荷設備１Ｂ1を切断するように指令する切断指令信号を生成して、生成した切断指令信号を停電時間算出装置１５に出力するとともに送受信装置１１および通信回線３を介して第１乃至第３のスマートメータ２1〜２3に送信する（ステップＳ１４）。
【００３０】
これにより、第１のＢ負荷設備１Ｂ1が第１のスマートメータ２1によって切断される。
また、停電時間算出装置１５は、切断された第１のＢ負荷設備１Ｂ1の停電時間の計測を開始する。
【００３１】
第１のＢ負荷設備１Ｂ1を切断しても１Ｖ以上の電圧降下が継続していると、電圧降下監視装置１２は電圧降下発生信号を切断・投入制御装置１４に出力したままとなる（ステップＳ１５）。
【００３２】
切断・投入制御装置１４は、電圧降下監視装置１２から電圧降下発生信号が入力されたままであると、メモリ１７から読み出した単価データに基づいて第２および第３のＢ負荷設備１Ｂ2，１Ｂ3の単価のどちらが低いかを調べる。
その結果、第２のＢ負荷設備１Ｂ2の単価の方が低いことを確認すると、切断・投入制御装置１４は、第２のＢ負荷設備１Ｂ2を切断するように指令する切断指令信号を生成して、生成した切断指令信号を停電時間算出装置１５に出力するとともに送受信装置１１および通信回線３を介して第１乃至第３のスマートメータ２1〜２3に送信する（ステップＳ１４）。
【００３３】
これにより、第２のＢ負荷設備１Ｂ2が第２のスマートメータ２2によって切断される。
また、停電時間算出装置１５は、切断された第２のＢ負荷設備１Ｂ2の停電時間の計測を開始する。
【００３４】
第２のＢ負荷設備１Ｂ2を切断することにより電圧降下が０．１Ｖ未満になり、この状態が１時間以上継続すると、電圧降下監視装置１２は電圧降下解消信号を切断・投入制御装置１４に出力する（ステップＳ１５〜Ｓ１７）。
【００３５】
一方、第２のＢ負荷設備１Ｂ2を切断しても電圧降下が０．１Ｖ以上である場合や第２のＢ負荷設備１Ｂ2を切断することにより電圧降下が０．１Ｖ未満になったがこの状態が１時間以上継続しなかった場合にはステップＳ１１からの動作が繰り返されるが（ステップＳ１６，Ｓ１７）、第１および第２のＢ負荷設備１Ｂ1，１Ｂ2は切断されているため、ステップＳ１６からの動作が繰り返される（ステップＳ１２）。
【００３６】
切断・投入制御装置１４は、電圧降下監視装置１２から電圧降下解消信号が入力されると、負荷設備監視装置１３から入力されるＢ負荷設備状態信号に基づいて、切断していった第１および第２のＢ負荷設備１Ｂ1，１Ｂ2が切断されたままかを調べる。
第１および第２のＢ負荷設備１Ｂ1，１Ｂ2が切断されたままであることを確認すると、切断・投入制御装置１４は、単価が高い方である第２のＢ負荷設備１Ｂ2を再投入するように指令する投入指令信号を生成して、生成した投入指令信号を停電時間算出装置１５に出力するとともに送受信装置１１および通信回線３を介して第１乃至第３のスマートメータ２1〜２3に送信する（ステップＳ１８）。
【００３７】
これにより、第２のＢ負荷設備１Ｂ2が第２のスマートメータ２2によって再投入される。
また、停電時間算出装置１５は、再投入された第２のＢ負荷設備１Ｂ2の停電時間の計測を終了するとともに、第２のＢ負荷設備１Ｂ2の今月の停電時間データをメモリ１７から読み出し、読み出した停電時間データが示す停電時間に計測した停電時間を足して第２のＢ負荷設備１Ｂ2の今月の停電時間データを更新してメモリ１７に格納する。
【００３８】
第２のＢ負荷設備１Ｂ2が再投入されても電圧降下が０．１Ｖ未満であると、電圧降下監視装置１２は電圧降下解消信号を切断・投入制御装置１４に出力したままである（ステップＳ１９）。
【００３９】
切断・投入制御装置１４は、電圧降下監視装置１２から電圧降下解消信号が入力されたままであると、単価が次に高い第１のＢ負荷設備１Ｂ1を再投入するように指令する投入指令信号を生成して、生成した投入指令信号を停電時間算出装置１５に出力するとともに送受信装置１１および通信回線３を介して第１乃至第３のスマートメータ２1〜２3に送信する（ステップＳ１８）。
【００４０】
これにより、第１のＢ負荷設備１Ｂ1が第１のスマートメータ２1によって再投入される。
また、停電時間算出装置１５は、再投入された第１のＢ負荷設備１Ｂ1の停電時間の計測を終了するとともに、第１のＢ負荷設備１Ｂ1の今月の停電時間データをメモリ１７から読み出し、読み出した停電時間データが示す停電時間に計測した停電時間を足して第１のＢ負荷設備１Ｂ1の今月の停電時間データを更新してメモリ１７に格納する。
【００４１】
第１のＢ負荷設備１Ｂ1が再投入されることにより電圧降下が０．１Ｖ以上になると、ステップＳ１１からの動作が繰り返される（ステップＳ１９）。
【００４２】
以上の説明では、電圧降下監視装置１２が電圧降下発生信号を出力する条件として「１Ｖ以上の電圧降下が３０秒以上継続」とし、電圧降下監視装置１２が電圧降下解消信号を出力する条件として「１Ｖ以上の電圧降下の解消後１時間以上電圧降下が０．１Ｖ未満」としたが、これに限定するものではない。
すなわち、電圧降下監視装置１２が電圧降下発生信号を出力する条件として「所定の第１の電圧値以上の電圧降下が所定の第１の時間以上継続」とすると、第１の電圧値は１Ｖ以外であってもよいし、第１の時間は３０秒以外であってもよい。
同様に、電圧降下監視装置１２が電圧降下解消信号を出力する条件として「第１の電圧値以上の電圧降下の解消後所定の第２の時間以上電圧降下が所定の第２の電圧値未満」とすると、第２の電圧値は０Ｖに近い電圧値であれば０．１Ｖ以外であってもよいし、第２の時間は１時間以外であってもよい。
【００４３】
また、第１乃至第３の需給契約者宅には１個のＡ負荷設備（第１乃至第３のＡ負荷設備１Ａ1〜１Ａ3）および１個のＢ負荷設備（第１乃至第３のＢ負荷設備１Ｂ1〜１Ｂ3）しか設置されていない場合を例として説明したが、複数個のＡ負荷設備および複数個のＢ負荷設備が設置されていても、遠隔切断・投入システム１０によって同様の処理を行ってＢ負荷設備を切断・再投入することにより、同様の効果を得ることができる。
【符号の説明】
【００４４】
１Ａ1〜１Ａ3  第１乃至第３のＡ負荷設備
１Ｂ1〜１Ｂ3  第１乃至第３のＢ負荷設備
２1〜２3  第１乃至第３のスマートメータ
３  通信回線
１０  遠隔切断・投入システム
１１  送受信装置
１２  電圧降下監視装置
１３  負荷設備監視装置
１４  切断・投入制御装置
１５  停電時間算出装置
１６  単価算出装置
１７  メモリ
ａ  係数
ｂ  比例係数
ＰB1〜ＰB3  第１乃至第３のＢ単価
ＰA1〜ＰA3  第１乃至第３のＡ単価
Ｔ1〜Ｔ3  第１乃至第３の前月停電時間
Ｓ１１〜Ｓ１９  ステップ
【図１】
0005646239.tif 000002
【図２】
0005646239.tif 000003
【図３】
0005646239.tif 000004